(57)【要約】【課題】本発明は、ホームネットワークや訪問者の端末と連携する訪問者管理装置及び方法を提供する。【解決手段】本発明の一面に係る訪問者管理装置は、招待者によって訪問者の情報が入力されると、前記情報に対応する訪問者端末に管理アプリケーションのインストール情報を有する招待メッセージを送信する招待者端末と、及び前記管理アプリケーションを介して前記訪問者端末から前記訪問者の認証情報と位置情報を収集し、前記訪問者が訪問場所として既設定された一定の間隔以内に接近していることを確認すると、前記認証情報を確認してからドアを開放する招待者サーバを有することを特徴とする。【選択図】図１
2014149812.tif 000002
【特許請求の範囲】
【請求項１】
訪問者管理装置であって、
招待者によって訪問者の情報が入力されると、前記情報に対応する訪問者端末に管理アプリケーションのインストール情報を有する招待メッセージを送信する招待者端末と、
前記管理アプリケーションを介して前記訪問者端末から前記訪問者の認証情報及び位置情報を収集し、前記訪問者が訪問場所に予め設定された所定距離以内に接近したことが確認された場合に、前記認証情報を確認した上でドアを開く招待者サーバと
を含むことを特徴とする装置。
【請求項２】
前記招待者サーバが、
前記訪問者が前記訪問場所にいるときに、前記訪問者の会話を感知可能な音声認識部と、
前記音声認識部が前記会話を感知した場合に、前記訪問者の周辺に存在する機器のスピーカーの音量を下げる制御部と
を含むことを特徴とする請求項１に記載の装置。
【請求項３】
前記管理アプリケーションは、
前記位置情報から前記訪問者が前記訪問場所から退室したことが確認された場合に、訪問終了案内を表示し、前記訪問者端末の制御部に前記管理アプリケーションの削除を要求することを特徴とする請求項１に記載の装置。
【請求項４】
前記招待者サーバは、
前記位置情報から前記訪問者が前記訪問場所から退室したことが確認された場合に、前記管理アプリケーションの削除を要求する退室メッセージを送信することを特徴とする請求項１に記載の装置。
【請求項５】
前記招待者サーバは、
前記訪問者が前記訪問場所に入る時点に合わせて、前記招待者によって事前に入力された環境制御設定に従って情報機器、照明機器、温度調節機器、湿度調節機器及び家電機器のうちの少なくとも一つの作動を制御することを特徴とする請求項１に記載の装置。
【請求項６】
前記招待者サーバは、
前記訪問者が前記訪問場所に接近したことが確認された場合に、前記訪問者の接近を前記招待者端末へ報知することを特徴とする請求項１に記載の装置。
【請求項７】
訪問者管理方法であって、
招待者により訪問者の情報が入力されると、前記情報に対応する訪問者端末に管理アプリケーションのインストール情報を有する招待メッセージを送信するステップと、
前記訪問者端末にインストールされた前記管理アプリケーションを介して前記訪問者の認証情報及び位置情報を収集するステップと、
前記位置情報に基づいて前記訪問者が訪問場所に予め設定された所定間隔以内に接近したことが確認された場合に、前記認証情報を確認した上でドアを開けるステップと
を含むことを特徴とする方法。
【請求項８】
前記訪問者が前記訪問場所に入る時点に合わせて、前記招待者によって事前に入力された環境制御設定に従って情報機器、照明機器、温度調節機器、湿度調節機器及び家電機器のうちの少なくとも一つの作動を制御するステップをさらに含むことを特徴とする請求項７に記載の方法。
【請求項９】
前記訪問者が前記訪問場所から退室したことが確認された場合に、前記管理アプリケーションの削除を要求する退室メッセージを送信するステップをさらに含むことを特徴とする請求項７に記載の方法。
【発明の詳細な説明】
【技術分野】
【０００１】
本発明は、訪問者管理サービスに関し、より詳細には、訪問者の利便性を向上させることのできる訪問者管理装置及び方法に関する。
【背景技術】
【０００２】
近年、防犯やセキュリティの重要性が強調され、家/会社/マンションに訪問者管理システムが適用されている。従来の訪問者管理システムは、招待者のインターフォン或いは電話認証を通じて訪問者を確認し、出入りを許可する方法で行われていた。
【０００３】
このように、従来の訪問者管理システムは、訪問者の確認、認証、及びドア開放などの作業が人によって一々行われていたので煩わしかった。
【発明の概要】
【発明が解決しようとする課題】
【０００４】
本発明は、前述した技術的背景から案出されたものであって、ホームネットワークや訪問者端末と連携する訪問者管理装置及び方法を提供することを目的とする。
【０００５】
本発明の目的は、上述した目的に制限されず、説明されていないまた他の目的は、以下の記載から当業者に明確に理解されるであろう。
【課題を解決するための手段】
【０００６】
本発明の一面に係る訪問者管理装置は、招待者によって訪問者の情報が入力されると、前記情報に対応する訪問者端末に管理アプリケーションのインストール情報を有する招待メッセージを送信する招待者端末と、及び前記管理アプリケーションを介して前記訪問者端末から前記訪問者の認証情報と位置情報を収集し、前記訪問者が訪問場所として既設定された一定の間隔以内に接近していることを確認すると、前記認証情報を確認してからドアを開放する招待者サーバを有することを特徴とする。
【０００７】
本発明の他面に係る訪問者管理装置による訪問者管理方法は、招待者により訪問者の情報が入力されると、前記情報に対応する訪問者端末に管理アプリケーションのインストール情報を有する招待メッセージを送信するステップと、前記訪問者端末にインストールされた前記管理アプリケーションを介して前記訪問者の認証情報及び位置情報を収集するステップと、及び前記位置情報を介して前記訪問者が訪問場所として既設定された一定の間隔以内に接近していることを判断すると、前記認証情報を確認してからドアを開放するステップを有することを特徴とする。
【発明の効果】
【０００８】
本発明によると、訪問者の位置情報に基づいて訪問者の便宜サービスを提供することができる。
【図面の簡単な説明】
【０００９】
【図１】本発明の実施形態に係る訪問者管理システムを示した構成図である。
【図２】本発明の実施形態に係る訪問者管理装置を示した構成図である。
【図３】本発明の実施形態に係るクライアント端末を示した構成図である。
【図４ａ】本発明の実施形態に係る訪問者管理方法及びそのユーザインターフェース（ＵＩ）を示した図である。
【図４ｂ】本発明の実施形態に係る訪問者管理方法及びそのユーザインターフェース（ＵＩ）を示した図である。
【図４ｃ】本発明の実施形態に係る訪問者管理方法及びそのユーザインターフェース（ＵＩ）を示した図である。
【図４ｄ】本発明の実施形態に係る訪問者管理方法及びそのユーザインターフェース（ＵＩ）を示した図である。
【図５】本発明の実施形態に係る引越し祝いサービスの訪問者登録方法を示したフローチャートである。
【図６】本発明の実施形態に係る引越し祝いサービス方法を示したフローチャートである。
【図７】本発明の実施形態に係る訪問者のお迎え及びお送りを含む本格的な引越し祝いサービス方法を示したフローチャートである。
【発明を実施するための形態】
【００１０】
本発明の利点及び特徴、そしてそれらを達成する方法については、図面に沿って詳述されている実施形態を参照すれば明確に分かる。しかし、本発明は、以下に開示される実施形態に限定されるのではなく、様々な形態で具現される。ただ、本実施形態は、本発明の開示を完全にし、本発明の属する技術分野における通常の知識を持つ者に発明のカテゴリーを完全に知らせるために提供されるものであり、本発明は、請求項のカテゴリーによって定義されるだけである。なお、本明細書で使用された用語は、実施形態を説明するためのものであり、本発明を制限しようとするものではない。本明細書において、単数形は文句で特に言及しない限り、複数形も有する。明細書で使用される「有する（ｃｏｍｐｒｉｓｅｓ、ｃｏｍｐｒｉｓｉｎｇ）」は、言及された構成素子、ステップ、動作及び/または素子は一つ以上の他の構成素子、ステップ、動作及び/または素子の存在または追加を排除しない。
【００１１】
以下、本発明の実施形態について、図面を参照して詳細に説明する。図１は、本発明の実施形態に係る訪問者管理システムを示した構成図である。
【００１２】
図１に示されたように、本発明の実施形態に係る訪問者管理システム１０は、招待者端末１００、招待者サーバ２００及びクライアント端末３００を含む。
【００１３】
招待者端末１００は、宅内利用者（招待者）によって利用され、訪問者管理サービス用アプリケーションがインストールされたスマートフォンなどの携帯端末であり得る。
【００１４】
ここで、訪問者管理サービスには、引越し祝いサービス、社内または宅内訪問者お迎えサービスなどが含まれる。
【００１５】
招待者端末１００は、訪問情報が登録されると、訪問情報に応じた訪問案内文及び管理アプリケーションのインストール情報（例えば、インストールリンク）のうちの少なくとも一つを送信する。ここで、訪問情報は、訪問者の情報（訪問者のＩＤ、名前、クライアント端末の連絡先やＳＮＳ  ＩＤなど）、訪問時間情報及び訪問位置情報のうちの少なくとも一つである。
【００１６】
招待者サーバ２００は、宅内または社内に設けられたホームネットワーク用サーバであり、訪問者が宅内に到着したときに、ホームネットワークを介して、訪問者の利便性を保障できる様々なサービスを提供することができる。詳細には、招待者サーバ２００は、訪問者の利便性を保障するために、宅内または社内に設けられた家電機器、照明機器、電子機器などを制御することができる。
【００１７】
例えば、招待者サーバ２００は、訪問者が宅内（または社内）に入る直前または入った直後に、インターフォンなどを通じて、訪問者を歓迎するフレーズを表示したり、音声を出力したりすることができる。
【００１８】
または、招待者サーバ２００は、訪問者が宅内（または社内）に入った後に、訪問者のいる場所で訪問者と招待者の会話を感知して会話を邪魔しないように、訪問者と招待者の周辺に位置するスピーカーの音量を下げるサービスを提供することができる。
【００１９】
または、招待者サーバ２００は、訪問者が社内の所定の会議室に到着するときに合わせて、会議室のドアを開いておいたり、会議室、冷房／暖房機器や、空気清浄機をＯＮにしておいたり、照明を付けておいたりするなどの環境制御を行なうことができる。
【００２０】
招待者サーバ２００は、クライアント端末３００にインストールされた管理アプリケーションを介して、クライアント端末３００から、訪問者の認証情報及び位置情報を収集する。
【００２１】
招待者サーバ２００は、訪問者の位置情報を収集して訪問者の位置を把握し、これを利用してホーム環境制御サービスを提供したり、宅内利用者に訪問者の位置情報を提供したりすることができる。
【００２２】
招待者サーバ２００は、訪問者がドアに到着すると、収集された認証情報を利用して訪問者を認証し、訪問者が宅内や会社に入ることができるようにドアを開放する。このとき、招待者サーバ２００は、クライアント端末３００から認証情報及び位置情報のうちの少なくとも一つが転送されて、訪問者のドア到着を確認することができる。
【００２３】
招待者サーバ２００は、訪問者が宅内から出ると（退室すると）、訪問者のクライアント端末３００へ、管理アプリケーションを削除することを指示する退室メッセージを送信する。そして、クライアント端末３００は、退室メッセージを確認すると管理アプリケーションを削除し、招待者サーバ２００へ報告する。これにより、招待者サーバ２００は、事前に設定された内容に基づいて訪問者に対応する訪問情報を削除することができる。
【００２４】
クライアント端末３００は、訪問者によって利用されるスマートフォンなどの携帯端末である。
【００２５】
クライアント端末３００は、招待者端末１００から、管理アプリケーションのインストール情報を含む招待メッセージを受信する。このとき、クライアント端末３００は、訪問者によってインストール情報が確認されると、自動的に管理アプリケーションをインストールすることができる。
【００２６】
クライアント端末３００にインストールされた管理アプリケーションは、クライアント端末３００の位置情報と認証情報を少なくとも１回収集して招待者サーバ２００へ送信する。この際、管理アプリケーションは、ＷｉＦｉ、３Ｇ、４Ｇ、Ｂｌｕｅｔｏｏｔｈ（登録商標）などの通信方式を用いて、位置情報と認証情報を送信することができる。
【００２７】
ここで、位置情報は、ＧＰＳ位置情報であり、ＧＰＳモジュールを備えていない端末の場合、クライアント端末３００に最も近い移動通信基地局の位置情報であり得る。そして、認証情報は、ＭＡＣ  Ａｄｄｒｅｓｓ、ＮＦＣ、電話番号などである。
【００２８】
管理アプリケーションは、訪問者が宅内に入る前（例えば、管理アプリケーションのインストール中）に、クライアント端末３００の認証情報を少なくとも１回送信する。また、管理アプリケーションは、訪問者が訪問場所のドアから所定距離内に接近したことを感知すると、ドアの開放を要求するために、招待者サーバ２００へ認証情報を送信する。ここで、管理アプリケーションは、クライアント端末３００の位置情報を所定の時間間隔で、または所定の移動距離ごとに送信するようにしてもよい。
【００２９】
クライアント端末３００は、招待者端末１００から退室メッセージを受信すると、訪問者の確認に基づいて管理アプリケーションを削除する。
【００３０】
一方、管理アプリケーションは、予め設定された時間（例えば、１時間）前に、訪問者に訪問情報を報知することもできる。
【００３１】
このように、本発明では、訪問者に訪問日時及び訪問場所の情報を案内し、また、訪問者が訪問する時点の環境を自動的に制御することができる。
【００３２】
以下、図２を参照して、本発明の実施形態に係る訪問者管理装置について説明する。図２は、本発明の実施形態に係る訪問者管理装置を示した構成図である。
【００３３】
図２に示したように、本発明の実施形態に係る訪問者管理装置（１００、２００）は、招待者端末１００と、招待者サーバ２００とを含む。
【００３４】
招待者端末１００は、訪問者選択及び訪問情報入力のための訪問者管理サービス用アプリケーションを有しており、招待者サーバ２００と協働して訪問者管理サービスを提供する。その他の招待者端末１００の構成は、図１を参照して説明した内容と同一または類似するので、それに対する詳細な説明は省略する。
【００３５】
招待者サーバ２００は、宅内または社内に設けられたホームネットワーク用サーバであり、ホームネットワークを介して接続されたドア、家電機器、情報機器、照明機器及び調理機器のうちの少なくとも一つを制御して、訪問者が宅内に到着したときに訪問者の便宜を図ることのできる様々なサービスを提供する。招待者サーバ２００は、制御インターフェース２１０、音声感知部２２０、認証部２３０、制御部２４０、表示部２５０及び通信部２６０を含む。以下、各部について説明する。
【００３６】
通信部２６０には、登録された訪問者のクライアント端末３００から位置情報と認証情報のうち少なくとも一つが伝達され、招待者端末１００から位置情報、訪問情報及び環境制御サービス設定のうち少なくとも一つが伝達され、伝達された情報等は制御部２４０に伝達される。
【００３７】
通信部２６０は、制御部２４０の制御に基づいて、クライアント端末３００へ退室メッセージを送信し、また、クライアント端末３００から管理アプリケーションの削除が報告される。
【００３８】
制御部２４０には、通信部２６０を介して、招待者端末１００から訪問者情報、訪問日時情報及び訪問場所の情報を含む訪問情報が伝達され、伝達された情報は制御部２４０に登録される。
【００３９】
制御部２４０は、招待者端末１００から、招待者によって設定された環境制御サービス設定を受信すると、その設定を登録し、訪問者の訪問時点或いは招待者の要求に応じた時点で、設定登録された環境制御サービスを提供する。
【００４０】
制御部２４０は、クライアント端末３００から受信した訪問者の位置情報に基づいて訪問者の位置を把握し、訪問者の位置を表示したり、訪問者の位置に応じてドアを開いたり、環境制御サービスを提供したり、退室メッセージを送信したり、宅内利用者へ訪問者の位置情報を送信したりすることなどを含む少なくとも一つの制御を行なう。
【００４１】
認証部２３０は、予め登録された認証情報が伝達されると、訪問者を認証し、ドアを開放する。このとき、認証部２３０には、クライアント端末３００から、認証情報及び位置情報のうちの少なくとも一つが伝達され、訪問者がドアに到着したことを確認することができる。
【００４２】
制御部２４０は、訪問者がドアに到着したことを確認すると、招待者端末１００に訪問者の到着を知らせることができる。
【００４３】
制御部２４０は、事前に設定された環境制御サービスによって、訪問者が宅内に入ったときに合わせて、照明機器、情報機器、温湿度制御機器及び家電機器のうちの少なくとも一つの作動を制御することができる。
【００４４】
制御インターフェース２１０は、ホームネットワークを介して接続された家電機器、照明機器、調理機器、ドア制御機のうちの少なくとも一つのインターフェース経路である。制御部２４０は、環境制御サービスを提供するために、制御インターフェース２１０を介して、情報機器、温湿度調節機器、家電機器及びドア制御機へ制御コマンドを送信することができる。
【００４５】
例えば、制御インターフェース２１０は、ＬＡＮカード、ＰＬＣモデムなどのネットワークインタフェース用モデムであり得る。
【００４６】
音声感知部２２０は、制御部２４０の指示に応じて、宅内での訪問者と招待者の会話を感知する。
【００４７】
制御部２４０は、宅内での訪問者と利用者の会話を感知したときに、訪問者と利用者の周辺に位置するテレビなどのスピーカーの音量を下げる制御を行なう。
【００４８】
制御部２４０は、訪問者が宅内から退室したことを確認すると、管理アプリケーションの削除を指示する退室メッセージを生成し、通信部２６０を介してクライアント端末３００へ送信する。そして、クライアント端末３００は、退室メッセージを確認すると管理アプリケーションを削除し、招待者サーバ２００へ報告する。その後、制御部２４０は、事前に設定された内容に基づいて訪問者に対応する訪問情報を削除することができる。このとき、制御部２４０は、訪問者が宅内から少しの間退室する場合と区別するために、訪問者が宅内から予め設定された所定時間以上退室したことを確認したり、訪問者の同意を得た後に管理アプリケーションを削除したりするようにしてもよい。
【００４９】
制御部２４０は、受信した訪問者の位置情報を地図上にマッピングして表示部２５０を介して表示することができる。
【００５０】
また、制御部２４０は、訪問者の便宜を図るためのサービス以外にも、招待者の便宜を図るためのサービスを提供することができる。
【００５１】
例えば、招待者が引越し祝いサービスを要請した場合、制御部２４０は、もてなす料理名を確認して、該当料理の食材と調理レシピを、招待者端末１００を介して招待者に表示することができる。
【００５２】
また、制御部２４０は、招待者が厨房に入る時点に合わせて、調理機器を予熱したり、厨房の照明を付けておいたりするなどの便宜サービスを提供することができる。
【００５３】
上述の例では、招待者サーバ２００が訪問者の退室を確認して、管理アプリケーションの削除を指示する退室メッセージを送信し、また、管理アプリケーションの削除に関する報告を受ける場合を例として説明した。しかし、これとは異なり、管理アプリケーションが、訪問場所からの退去を確認して、管理アプリケーションの削除をクライアント端末３００の制御部（ＣＰＵ）に要求し、その要求に応じて、クライアント端末３００の制御部が管理アプリケーションを削除するようにしてもよい。
【００５４】
このように、本発明では、招待者が訪問情報を登録すると、その後は招待者が介入することなく、訪問者管理装置（招待者端末１００及び招待者サーバ２００）によって、訪問者に対して自動的にドアを開けたり、招待者に対して訪問者の到着を案内したり、訪問者の位置情報に基づいて宅内や社内の環境を整えたりすることができ、招待者が訪問者を迎えるときの便宜性を向上させることができる。
【００５５】
以下、図３を参照して本発明の実施形態に係るクライアント端末について説明する。図３は、本発明の実施形態に係るクライアント端末を示した構成図である。
【００５６】
図３に示されたように、本発明の実施形態に係るクライアント端末３００は、制御部３１０、表示部３２０及び通信部３３０を含む。
【００５７】
通信部３３０は、ＷｉＦｉ、３Ｇ、４Ｇ、Ｂｌｕｅｔｏｏｔｈ（登録商標）を介して招待者端末１００と通信し、招待メッセージや退室メッセージを受信する。
【００５８】
制御部３１０は、ＭＣＵなどの中央処理装置であり得る。
【００５９】
制御部３１０は、招待メッセージを受信すると、それを表示部３２０に表示し、クライアント端末３００のユーザ（訪問者）によって招待メッセージに含まれているインストール情報が確認されると、それに関連する管理アプリケーションをインストールする。
【００６０】
制御部３１０は、インストールされた管理アプリケーションの指示に従って、事前に設定された認証??情報及びクライアント端末３００の現在の位置情報を収集して通信部３３０を介して招待者端末１００へ送信する。
【００６１】
制御部３１０は、退室メッセージを受信すると、表示部３２０に表示し、ユーザによって退室が確認されると、管理アプリケーションを削除する。または、制御部３１０は、ユーザの退室を別途確認することなく、ユーザによって退室メッセージが確認されると、自動的に管理アプリケーションを削除するようにしてもよい。
【００６２】
制御部３１０は、ユーザの要求に応じて、訪問する目的地とクライアント端末の現在位置を地図上にマッピングして表示部３２０を介して表示することができる。
【００６３】
また、制御部３１０は、訪問時間及び訪問場所を含む訪問情報の一部を、表示部３２０を介して表示することができる。
【００６４】
また、制御部３１０は、訪問場所に到着するまでは、訪問場所に接近した程度を適宜更新してユーザに案内することができる。
【００６５】
このように、本発明によれば、訪問者が、訪問日時及び訪問場所等の訪問情報の案内を文字などによって受けることができ、また、訪問場所にどの程度接近したかを確認することもできるので、訪問者にとっての情報確認の利便性を向上させることができる。
【００６６】
以下、図４ａないし図４ｄを参照して、本発明の実施形態に係る訪問者を管理する方法について説明する。図４ａないし図４ｄは、本発明の実施形態に係る訪問者管理方法及びそれに使用されるユーザインターフェース（ＵＩ）を示した図である。図４ａないし図４ｄにおいて、Ｈｏｓｔは、招待者端末１００または招待者サーバ２００（即ち、訪問者管理装置）であり、Ｇｕｅｓｔは、クライアント端末３００である。
【００６７】
図４ａを参照すると、招待者端末１００は、招待者によって入力された訪問情報（訪問者の名前、訪問日、訪問時間、訪問場所、訪問者の連絡先など）、訪問者を招待するフレーズ及び管理アプリケーションのインストール情報（インストールリンク）を含む招待メッセージを、クライアント端末３００へ送信する（図４ａ−１）。
【００６８】
クライアント端末３００は、受信した招待メッセージを表示し、訪問者がインストール情報を確認すると、そのインストール情報に基づいて管理アプリケーションをダウンロード（Ｄｏｗｎｌｏａｄ）してインストールする（図４ａ−２）。
【００６９】
このとき、クライアント端末３００は、管理アプリケーションのインストール時に、クライアント端末３００の認証情報（ＭＡＣアドレス、ＮＦＣ情報、クライアント端末の連絡先や固有情報など）を収集して招待者端末１００へ送信する（図４ａ−３）。
【００７０】
クライアント端末３００にインストールされた管理アプリケーションは、クライアント端末３００の画面に訪問情報を文字などによって表示し、また、前記画面に表示した地図上に目的地（訪問場所）及び自身の現在位置を示す（図４ａ−４）。
【００７１】
図４ｂを参照すると、管理アプリケーションは、予め設定された条件で、訪問者の位置情報を招待者サーバ２００へ送信する（図４ｂ−５）。例えば、管理アプリケーションは、訪問者が訪問場所に予め設定された第１の距離（例えば、１００ｍなど）以上近づいたときに、訪問者の位置情報を招待者サーバ２００へ送信することができる。または、管理アプリケーションは、訪問者が予め設定された距離を移動するたびに、または予め設定された時間間隔で、訪問者の位置情報を送信することができる。図４ａないし図４ｄの実施形態では、前者の場合を例として説明する。
【００７２】
招待者サーバ２００は、訪問者が訪問場所に予め設定された第１の距離以内に近づいたときに訪問者の位置情報を受信すると、予め設定された環境制御サービスの設定に応じて生活環境制御機器を作動させ（図４ｂ−５−１）、また、招待者端末１００へ訪問者の位置情報を送信する（図４ｂ−５−２）。このとき、招待者サーバ２００は、招待者が宅内にいる場合、宅内に予め設定された表示手段を通じて訪問者の位置情報を案内することもできる。
【００７３】
図４ｃを参照すると、クライアント端末３００（即ち訪問者）が訪問場所に到着すると、管理アプリケーションは、予め設定された通信方式を用いて、クライアント端末３００の認証情報を招待者サーバ２００へ送信する（図４ｃ−６）。このとき、管理アプリケーションは、クライアント端末３００が訪問場所に予め設定された第２の距離（例えば、１ｍ）以内に近づいたときに、認証情報を招待者サーバ２００へ送信することができる。
【００７４】
招待者サーバ２００は認証情報を受信すると、ドア制御装置にドア開放コマンドを送信する（図４ｃ−７）。
【００７５】
図４ｄを参照すると、管理アプリケーションは、クライアント端末３００の位置情報によって訪問者の退室を確認すると、クライアント端末３００の画面に訪問終了案内文及び管理アプリケーションの削除指示を含む退室メッセージを表示し、また、クライアント端末３００の制御部に管理アプリケーションを削除することを要求する（図４ｄ−８）。ここで、管理アプリケーションは、招待者サーバ２００から退室メッセージを受信し、それを表示することができる。このとき、管理アプリケーションは、ユーザ（訪問者）に対して訪問者の退室を確認することができる。
【００７６】
上述の例では、招待者が訪問情報を設定する場合を例に挙げて説明したが、招待者が管理アプリケーションのインストール情報を含む招待メッセージを送信し、管理アプリケーションを介して訪問者が訪問情報を入力し、その訪問情報を招待者サーバ２００または招待者端末１００へ送信するようにしてもよい。
【００７７】
このように、本発明によれば、招待者に訪問者の位置情報を知らせることができ、また、招待者が用事等で外出している場合でも、訪問者の到着時刻に合わせて訪問場所に戻るように誘導することができる。
【００７８】
また、本発明では、招待者がドアを別途制御しなくても訪問者を認知して自動的にドアを開放することができるので、招待者が訪問者を迎える際の便宜性を向上させることができる。
【００７９】
以下、図５ないし図７を参照して、本発明の実施形態に係る訪問者管理方法のうちの一つである引越し祝いサービスの提供方法について説明する。
【００８０】
図５は、本発明の実施形態に係る引越し祝いサービスの訪問者登録方法を説明するためのフローチャートである。
【００８１】
図５を参照して、招待者が訪問者管理サービスのうちの引越し祝いサービスを選択すると、招待者端末１００は引越し祝いサービスが選択されたことを確認する（Ｓ５１０）。
【００８２】
引越し祝いサービスが選択されると、招待者端末１００は、引越し祝いサービスについての訪問情報を入力することを要求する（Ｓ５２０）。ここで、訪問情報には、引越し祝いに出席する訪問者の情報（訪問者の数、訪問者の名前及び連絡先など）、訪問日時情報及び訪問位置情報が含まれる。このとき、訪問位置情報が家であると既に設定されている場合は、招待者端末１００に訪問位置情報を入力する必要はない。
【００８３】
訪問情報の入力が完了すると、招待者端末１００は、引越し祝いの案内文（即ち、招待状）を作成することを要求する（Ｓ５３０）。
【００８４】
招待者端末１００は、引越し祝いに出席する全ての訪問者へ、訪問情報のうちの少なくとも一部、作成された引越し祝いの案内文及び管理アプリケーションのインストール情報を含む招待メッセージを送信する（Ｓ５４０）。ここで、前記訪問情報のうちの少なくとも一部には、少なくとも訪問日時及び訪問場所の情報が含まれる。
【００８５】
招待者端末１００は、クライアント端末３００にインストールされた管理アプリケーションによる出席確認を通じて、そのクライアント端末３００から、該端末のユーザ（即ち、訪問者）の引越し祝いへの出席情報（出席の有無に関する情報）を受信する（Ｓ５５０）。このとき、クライアント端末３００のユーザ（訪問者）が招待メッセージに含まれている管理アプリケーションのインストール情報を確認すると、クライアント端末３００は、管理アプリケーションをインストールする。すると、クライアント端末３００にインストールされた管理アプリケーションが、クライアント端末３００のユーザに対して引越し祝いへの出席の有無を確認し、出席情報（出席の有無に関する情報）を招待者端末１００へ送信する。
【００８６】
また、クライアント端末３００の管理アプリケーションは、出席表明者のクライアント端末３００の認証情報を収集して招待者端末１００へ送信し、招待者端末１００は、クライアント端末３００から認証情報を受信する（Ｓ５５０）。
【００８７】
招待者端末１００は、各訪問者の出席情報及び認証情報を招待者サーバ２００へ転送して、招待者サーバ２００に各訪問者の出席情報及び認証情報を登録する（Ｓ５６０）。
【００８８】
図６は、本発明の実施形態に係る引越し祝いサービス提供方法を説明するためのフローチャートである。
【００８９】
図６を参照すると、招待者が招待者端末１００を操作して引越し祝いでもてなす食べ物及び飲み物並びに引越し祝いのホーム環境を設定すると、招待者端末１００は、設定された情報を招待者サーバ２００へ転送する（Ｓ６１０）。
【００９０】
招待者サーバ２００は、設定された食べ物、飲み物及びホーム環境に必要な家電や調理機器を選択する、また、設定された食べ物及び飲み物を提供するために必要な食材情報（食材及び調理レシピ）を生成して招待者端末１００へ送信する（Ｓ６２０）。
【００９１】
招待者端末１００は、受信した食材情報を表示する（Ｓ６３０）。従って、招待者は、表示された食材情報を利用して必要な食材を容易に把握して買い物をすることができる。
【００９２】
その後、招待者端末１００は、自身の現在の位置情報を招待者サーバ２００へ送信する（Ｓ６４０）。
【００９３】
招待者サーバ２００は、招待者の位置情報を確認すると、環境制御サービスを稼動させる（Ｓ６５０）。このとき、招待者サーバ２００は、ホーム環境設定のための家電機器の作動、食べ物や飲み物の準備のための調理機器の予備作動を行うことができる。
【００９４】
招待者端末１００は、家族構成員が厨房へ移動すると、そのことを招待者サーバ２００へ報告する（Ｓ６６０）。
【００９５】
招待者サーバ２００は、環境制御サービスを介して調理機器に調理の開始を指示し、調理機器を作動させる（Ｓ６７０）。
【００９６】
すると、招待者端末１００の画面に調理レシピが表示され、招待者は表示された調理レシピを参照して調理を開始することができる（Ｓ６８０）。
【００９７】
その後、招待者が少なくとも一定時間以上調理機器の作動を停止すると、招待者サーバ２００は、食事の開始を確認する（Ｓ６９０）。このとき、前記少なくとも一定時間は、調理が完了したと判断することができる程度に十分長い時間、例えば１時間であり得る。
【００９８】
上述した例では、調理が完了したときに招待者サーバ２００が食事の開始を確認する場合を例に挙げて説明したが、招待した訪問者が宅内に入ってきたときに、招待者サーバ２００が食事の開始を確認するようにしてもよいのは勿論である。
【００９９】
また、上述した例では、招待者サーバ２００の自動的な判断によって自動的に調理機器を予備作動させる場合を例に挙げて説明したが、招待者が確認した後に、招待者サーバ２００が調理機器を予備作動させるようにしてもよいのは勿論である。
【０１００】
図７は、本発明の実施形態に係る、訪問者のお迎えやお送りを含む本格的な引越し祝いサービス提供方法を説明するためのフローチャートである。
【０１０１】
図７を参照すると、クライアント端末３００にインストールされた管理アプリケーションは、引越し祝いへの出席を表明する情報を送信した後、クライアント端末３００の現在の位置情報を招待者サーバ２００へ少なくとも１回送信する（Ｓ７１０）。
【０１０２】
また、クライアント端末３００の管理アプリケーションは、訪問者が訪問場所の玄関ドアに近づくと、クライアント端末３００の位置情報及び認証情報を招待者サーバ２００へ送信する（Ｓ７２０）。
【０１０３】
招待者サーバ２００は、認証情報を受信して訪問者を認識すると、歓迎のメッセージを生成してスピーカーや表示部などに出力し、玄関ドアを開放する（Ｓ７３０）。
【０１０４】
招待者サーバ２００は、訪問者が宅内に入ると、照明、家電機器などを制御して招待者によって事前に設定されたホーム環境を提供する（Ｓ７４０）。このとき、招待者サーバ２００は、クライアント端末３００の位置情報を利用して訪問者が宅内に入ったことを確認することができ、また、クライアント端末３００の認証情報を確認した後に玄関ドアが開かれて閉じられると、訪問者が宅内に入ったことを確認することができる。ここで、招待者サーバ２００は、照明、温度及び湿度のうちの少なくとも一つを食事モードになるように制御することができる。例えば、招待者サーバ２００は、照明の照度、温度及び湿度を食事モードになるように調節したり、空気清浄機を作動させて芳香剤を散布したりするなどの環境制御サービスを提供することができる。
【０１０５】
招待者サーバ２００は、音声認識センサーが訪問者と招待者の会話を感知すると、予め設定された環境制御サービスを稼動させる（Ｓ７５０）。
【０１０６】
例えば、招待者サーバ２００は、訪問者と招待者の会話を感知すると、スマートパッド、デジタルアルバム、テレビ画面を介した写真出力、テレビオーディオ出力のうちの少なくと一つを制御するサービス（例えば、音声の出力を下げる制御）を提供することができる。
【０１０７】
または、招待者サーバ２００は、訪問者がソファまたは食卓に着席すると、訪問者の周囲に位置するリビングルームまたは厨房ディスプレイを介した電子アルバムや写真出力及びオーディオ出力のうちの少なくとも一つを制御することができる。
【０１０８】
クライアント端末３００の管理アプリケーションは、訪問者が宅内から退室し、訪問場所から所定距離以上離れたときに、クライアント端末３００の位置情報を招待者サーバ２００へ送信する（Ｓ７６０）。
【０１０９】
すると、招待者サーバ２００は、訪問者の退室を確認して管理アプリケーションの削除を指示する退室メッセージを生成し、クライアント端末３００へ送信する（Ｓ７７０）。
【０１１０】
クライアント端末３００は、訪問者によって退室メッセージが確認されると、管理アプリケーションを削除し、クライアント端末３００から管理アプリケーションが削除されたことを招待者サーバ２００へ報告する（Ｓ７８０）。
【０１１１】
招待者サーバ２００は、クライアント端末３００からの報告によって管理アプリケーションが削除されたことを確認すると、そのクライアント端末３０のユーザ（訪問者）の情報を削除し、引越し祝いサービスによって提供された環境状態を、元の環境状態に戻す（Ｓ７９０）。
【０１１２】
また、招待者サーバ２００は、訪問者が宅内にいるときに招待者が写真を撮影すると、その写真を受信し、事前に設定されたタイトルと訪問者の連絡先を確認して訪問者へ転送することができる。この場合、引越し祝いサービス提供用アプリケーションが招待者の写真撮影を招待者サーバ２００へ報告する。
【０１１３】
または、クライアント端末３００の管理アプリケーションは、訪問者が宅内で写真を撮影したときに、そのことを感知して、「写真撮影禁止」、「プライバシー保障」などの案内を提供することができる。
【０１１４】
このように、本発明では、引越し祝いに複数の訪問者を招待する場合でも、招待者が各訪問者をいちいち出迎える必要がなく、訪問者を認証し、自動的に玄関ドアを開放して宅内に案内することができるので、引越し祝いの利便性を向上させることができる。
【０１１５】
また、本発明では、もてなす食べ物を登録すれば、招待者に対して調理レシピや必要な食材などを案内することができるので、大勢のゲストを迎える招待者の利便性を大幅に向上させることができる。
【０１１６】
以上、本発明の構成について添付図面を参照して詳細に説明したが、これは例示に過ぎず、本発明の属する技術分野において通常の知識を持つ者であれば本発明の技術的思想の範囲内で様々な変形や変更が可能であることはもちろんである。従って、本発明の保護範囲は、前述した実施形態に限定されてはならず、以下の特許請求の範囲の記載によって決められなければならない。
【図１】
2014149812.tif 000003
【図２】
2014149812.tif 000004
【図３】
2014149812.tif 000005
【図４ａ】
2014149812.tif 000006
【図４ｂ】
2014149812.tif 000007
【図４ｃ】
2014149812.tif 000008
【図４ｄ】
2014149812.tif 000009
【図５】
2014149812.tif 000010
【図６】
2014149812.tif 000011
【図７】
2014149812.tif 000012